(57)【特許請求の範囲】
【請求項１】
ダイヤル環の回転操作により施錠及び解錠作動する錠機構を内蔵し、筺体の開閉蓋に固定される錠ケースを備え、前記ダイヤル環の側周面の一部を錠ケースの前面に形成した窓孔から露出させ、錠ケースの前面に沿った露出環部に対する接線方向の回転操作によってダイヤル環を回転させるようにしてなるものであり、
錠ケースは、錠機構が内蔵される上下方向の収納筒部を備えており、該収納筒部の側傍に略筺体状の把手部が連成され、
把手部は、前面を除く周囲を壁面で囲繞してその内部に空隙部が形成され、該空隙部の前部には指挿入口が形成されて、該指挿入口の下部に所定高さの突縁からなる把手を形成してなるとともに、
前記収納筒部は、上方に開放された環状の操作孔部を上面に備え、該操作孔部の内径よりも径大で、下方が開放された作動孔と、操作孔部内とを軸線に沿って上下に連成してなる収納孔を内部に備え、さらに上面の操作孔部の周囲に径大な支承鍔部を備えており、
前記収納筒部の収納孔には錠機構が内蔵され、操作孔部にダイヤル環が外嵌されて支承鍔部上に乗載され、操作孔部内で錠機構がダイヤル環に連係していることを特徴とする回転式ダイヤル錠。
【発明の詳細な説明】
【０００１】
【発明の属する技術分野】
本発明は、郵便受箱，収納ボックス等の筺体の開閉蓋に適用される回転式ダイヤル錠に関する。
【０００２】
【従来の技術】
郵便受箱，収納ボックス等の筺体に設けられた開閉蓋に適用される従来の回転式ダイヤル錠は、図１４に示すように、外周にダイヤル板ａを備えた円柱状の操作ツマミｂが開閉蓋ｃの前面に配設されており、この操作ツマミｂを所定手順で左右両方向に順次回転させてダイヤルを合わせることにより解錠し得るようになっている。
【０００３】
【発明が解決しようとする課題】
しかして、従来のダイヤル錠にあっては、操作ツマミｂが開閉蓋ｃの把手を兼ねているため、ダイヤルを合わて解錠した後、操作ツマミｂを摘まんで開閉蓋ｃを引き開けると、操作ツマミｂが不用意に回転してしまうことがあり、そのまま開閉蓋ｃを閉めると施錠したくない場合でも施錠されてしまう。このため再度開閉蓋ｃを開ける場合には、もう一度ダイヤルを合わて解錠しなければならないという問題点があった。
【０００４】
また、開閉蓋ｃに把手を別に設けることもできるが、この場合には、把手を別部品として製作し、その取付け作業も別途に行なう必要があるため、コストが高くなるという問題点があった。
【０００５】
一方、従来のダイヤル錠における操作ツマミｂは、親指と、他の人差し指等との少なくとも二本の指で操作ツマミｂを挟持して回転させなければならず、指一本で回転させることが極めて困難であるため、その操作性が悪いという問題点があった。
【０００６】
本発明は、かかる問題点を解消し得る回転式ダイヤル錠の提供を目的とするものである。
【０００７】
【課題を解決するための手段】
本発明は、ダイヤル環の回転操作により施錠及び解錠作動する錠機構を内蔵し、筺体の開閉蓋に固定される錠ケースを備え、前記ダイヤル環の側周面の一部を錠ケースの前面に形成した窓孔から露出させ、錠ケースの前面に沿った露出環部に対する接線方向の回転操作によってダイヤル環を回転させるようにしてなるものであり、
錠ケースは、錠機構が内蔵される上下方向の収納筒部を備えており、該収納筒部の側傍に略筺体状の把手部が連成され、
把手部は、前面を除く周囲を壁面で囲繞してその内部に空隙部が形成され、該空隙部の前部には指挿入口が形成されて、該指挿入口の下部に所定高さの突縁からなる把手を形成してなるとともに、
前記収納筒部は、上方に開放された環状の操作孔部を上面に備え、該操作孔部の内径よりも径大で、下方が開放された作動孔を、操作孔部内と軸線に沿って上下に連成してなる収納孔を内部に備え、さらに上面の操作孔部の周囲に径大な支承鍔部を備えており、
前記収納筒部の収納孔には錠機構が内蔵され、操作孔部にダイヤル環が外嵌されて支承鍔部上に乗載され、操作孔部内で錠機構がダイヤル環に連係していることを特徴とする回転式ダイヤル錠である。
【０００９】
前記構成にあって、ダイヤル環を回転操作して解錠した後、把手を用いてダイヤル環に触れることなく開閉蓋を開けることができるため、ダイヤル環が回転せず、不要の施錠が防止される。また、錠ケースに把手を連成することにより、該把手が別部品にならず、その取付けを別途に行なう手間も要しない。
【００１０】
また、指一本でダイヤル環を回転させることができるので、回転操作が容易であり、その操作性を向上させ得る。
【００１１】
【発明の実施の形態】
本発明の実施形態の一例を図１〜図１３について説明する。
【００１２】
図面において、１は本発明にかかる回転式ダイヤル錠を示す。２は該回転式ダイヤル錠１の錠ケースであって、該錠ケース２は、後述の錠機構３が内蔵される上下方向の収納筒部４を備えており、該収納筒部４の側傍に略筺体状の把手部５が連成され、さらにこの把手部５と前記収納筒部４の前面に矩形状の前板部６が一体に連成されている。
【００１３】
錠ケース２には、前板部６を除く収納筒部４と把手部５とを全体に被覆する略筺体状のカバー体７が装着される。該カバー体７は、錠ケース２の後方から外嵌され、錠ケース２の外側面に形成した複数の係止爪８に、カバー体７に形成した係合孔９を係合させて固定するようにしている。
【００１４】
前記把手部５は、前面を除く周囲を壁面で囲繞してその内部に空隙部１０が形成され、該空隙部１０の前部には前板部６を矩形状に開口した指挿入口１１が形成されており、該指挿入口１１の下部に所定高さの突縁１２を上方突成して、該突縁１２を把手１３としている。これにより、指挿入口１１から空隙部１０内に指を入れ、把手１３に指を掛けて手前に引くことができるようになっている。
【００１５】
尚、前記把手１３は図１３に示すように、前板部６の前面にＬ形の突縁１２’を突成して設けることもできる。この場合には、前記空隙部１０や指挿入口１１を形成する必要はないが、把手１３が前板部６の前面に突出することとなる。これに対して前記のように、空隙部１０に連通する指挿入口１１の下部に突縁１２を上方突成して把手１３を設けるようにすれば、該把手１３が前板部６の前面から突出せず邪魔にならない利点がある。
【００１６】
一方、前記収納筒部４は、上方に開放された環状の操作孔部１４を上面に備え、該操作孔部１４の内径よりも径大で上縁に係止段１５を備え、下方に開放された作動孔１６と、操作孔部１４内とを軸線に沿って上下に連成してなる収納孔１７（図９参照）を内部に備え、さらに上面の操作孔部１４の周囲に径大な支承鍔部１８を備えている。
【００１７】
前記支承鍔部１８には伏蓋状のダイヤル環１９が乗載され、該ダイヤル環１９は、その下面中央に突成された連係環部２０を前記操作孔部１４に外嵌して回転可能に設けられている。このダイヤル環１９の側周面２１の一部は、前記錠ケース２の前板部６に形成した窓孔２２から露出され、錠ケース２の前面に沿った露出環部２１’に対する接線方向の回転操作によって回転させ得るようになっている。また、該ダイヤル環１９の側周面２１には、「０」〜「９」の算用数字からなる複数の符合２３が一定間隔で表示されている。尚、この符合２３は、漢数字，ローマ数字や記号でもよく、その数も任意に設定可能である。
【００１８】
前記ダイヤル環１９の連係環部２０の外周には、前記符合２３の数と同数の凹溝２４が一定間隔で刻設されており、該凹溝２４に、前記操作孔部１４に配設した板バネ２５（図５参照）を両側から係合させることにより、ダイヤル環１９の回転操作時に、符合２３が窓孔２２の中央に表われる毎に間欠的な回転抵抗が生じるようにしている。また、前記連係環部２０には、その下端面に単一の操作突起２６が下方突成されている。この操作突起２６は、前記ダイヤル環１９の任意の符合２３に対応する位置に設けられ、この任意の符合２３を後述の第一回転子２８の解錠ナンバーとしている。さらに、連係環部２０の内周面には、単一もしくは複数の係合突起２７が形成されている。
【００１９】
前記収納筒部４の収納孔１７には、第一回転子２８，第二回転子２９，ラッチ３０等からなる錠機構３が内蔵されている。
【００２０】
第一回転子２８は、前記操作孔１４内に嵌挿される径小頭部３１ａと、前記作動孔１６に嵌挿されて上縁が前記係止段１５に下方から当接する径大胴部３１ｂとを備えた円筒状に形成されている。この第一回転子２８の内部には、係止段３２を介して下方が径大となる挿通孔３３か軸線に沿って上下方向に貫設されている。
【００２１】
径小頭部３１ａの上端面には、前記連係環部２０の操作突起２６が側方から当接可能な単一の連係突起３４が上方突成されている。そして前記ダイヤル環１９の回転操作により、操作突起２６が連係突起３４に側方から当接して第一回転子２８を収納孔１７内で従動回転させるようになっている。
【００２２】
また、径小頭部３１ａの外周にも、前記連係環部２０と同様の凹溝２４’が刻設されており、該凹溝２４’に前記板バネ２５を両側から係合させることにより、第一回転子２８の回転時にダイヤル環１９と同様の間欠的な回転抵抗を生じさせるようにしている。
【００２３】
前記径大胴部３１ｂには、その側周面から下端面に亘って開口された解錠口３５が形成されている。該解錠口３５は、前記連係突起３４に対応する位置に形成され、第一回転子２８の従動回転により、作動孔１６の周面の前部位置に形成された解錠溝３６と一致する位置に移動し得るようになっている。
【００２４】
前記第一回転子２８の挿通孔３３には第二回転子２９が同心状に嵌挿されている。該第二回転子２９は、前記第一回転子２８の径小頭部３１ａから上方に突出する径小頭部３７ａと、上縁が挿通孔３３の係止段３２に下方から当接し、下縁が前記第一回転子２８の径大胴部３１ｂの下縁と面一となるテーパ状の径大胴部３７ｂとを備えた円筒状に形成されている。
【００２５】
径小頭部３７ａの突出端の周面には、前記連係環部２０の係合突起２７と係合する複数の凹溝３８が刻設されており、この凹溝３８と係合突起２７との係合によって、前記ダイヤル環１９を回転操作すると第二回転子２９が常に同時に回転するようになっている。
【００２６】
また、径大胴部３７ｂには、その側周面から下端面に亘って開口された解錠口３９が形成されている。この解錠口３９は、前記凹溝３８と係合突起２７との係合位置を選択することにより、前記第一回転子２８の解錠ナンバー以外の、ダイヤル環１９の任意の符合２３に対応する位置に設けられ、この符合２３を第二回転子２９の解錠ナンバーとしている。そして、該解錠口３９は、第二回転子２９の回転により、前記第一回転子２８の解錠口３５と一致する位置に移動し得るようになっている。また、第二回転子２９の内部には、上下方向に作動空隙４０が形成され、該作動空隙４０は前記解錠口３９と側面で連通されている。
【００２７】
さらに作動孔１６内には、前記第一回転子２８及び第二回転子２９の下部位置に、ガイド体４１に支持されたラッチ３０が上下方向に配設されている。該ラッチ３０は、ガイド体４１のガイド溝４２に嵌挿され、上下方向の長孔４３にガイド体４１の側方から嵌入した支持軸４４を挿通させて上下動及び後方に回動可能に軸支されている。
【００２８】
該ラッチ３０は、上部にレバー部４５を備え、下部にフック部４６を備えている。レバー部４５は、前記作動空隙４０内に挿通される一方、フック部４６は、前記作動孔１６及びカバー体７の下端面から後側面に亘って開口した挿通口４７から下方に突出される。
【００２９】
また、ラッチ３０は、図６に示すように、前側縁４８が前記ガイド溝４２の下部前縁に形成されたストッパー面４９に当接する垂直位置と、図１０に示すように、フック部４６が挿通口４７に沿って後方に回動してカバー体７内に没入する退避位置とに変位可能に設けられ、常時は収納孔１７の後部側傍に配設されたばね５０によって前方及び下方に付勢されて前記垂直位置に保持されるようになっている。さらにフック部４６の後側縁５１は、緩やかに上方に湾曲した傾斜面となっており、この後側縁５１が後方から水平方向に押圧されると傾斜面に生じる上方向の分力によってラッチ３０が上動し、図１１に示すように、フック部４６がカバー体７内に押し込まれるようになっている。また、フック部４６の後側縁５１の上部には突起５２が設けられ、該突起５２を前記ばね５０の端部が係合されるばね受座としている。
【００３０】
かかる構成からなる回転式ダイヤル錠１は、図６に示すように、郵便受箱，収納ボックス等の筺体５３に設けられた開閉蓋５４に取り付けられる。この取り付けは、カバー体７を装着した錠ケース２を開閉蓋５４に形成した取付け口５５に前方から嵌合して、前板部６の周縁を開閉蓋５４の前面に圧接させ、カバー体７の上下の前端縁に形成した複数の係止爪５６を、開閉蓋５４の裏面に係合させて固定することにより行なっている。
【００３１】
また、回転式ダイヤル錠１は、上記のように開閉蓋５４に取り付けて該開閉蓋５４を閉めた状態において、筺体５３の底板５７の前部に形成された係止縁５８の後端面にフック部４６が係合されるようになっている。
【００３２】
次に回転式ダイヤル錠１の解錠及び施錠操作について説明する。
【００３３】
まず、回転式ダイヤル錠１を解錠する場合には、窓孔２２に露出したダイヤル環１９の露出環部２１’に対する接線方向の回転操作によって、ダイヤル環１９を所定の一方向に回転させ、前記窓孔２２に順次表示される符合２３の内、第一回転子２８の解錠ナンバーが二回目に表示されたときに、その回転操作を停止する。
【００３４】
ここで、図１２イ（同図中、上段ａは操作孔１４内の各部の状態、下段ｂは作動孔１６内の各部の状態を示す。）に示す状態において、上記のようにダイヤル環１９を回転させると、該ダイヤル環１９の連係環部２０に下方突成された操作突起２６が、第一回転子２８の上端面に上方突成された連係突起３４に側方から当接して、第一回転子２８を従動回転させることとなる。そして、ダイヤル環１９の操作突起２６が第一回転子２８の解錠ナンバーＡに対応する位置に設けられていることにより、該解錠ナンバーＡが窓孔２２に二回目に表示された位置で、第一回転子２８の解錠口３５が、図１２ロに示すように、作動孔１６の周面の前部位置に形成された解錠溝３６と一致することとなる。尚、ダイヤル環１９の操作突起２６は、第一回転子２８の連係突起３４の位置によってはダイヤル環１９を略一回転させなければ連係突起３４に当接しない場合があり、この略一回転の回転時に解錠ナンバーＡが窓孔２２を一度通過するため、該解錠ナンバーＡを窓孔２２に二回表示させるダイヤル環１９の回転操作が必要となる。
【００３５】
また、ダイヤル環１９を回転させると、ダイヤル環１９の連係環部２０の係合突起２７と第二回転子２９の上端の凹溝３８とが係合されていることにより、第二回転子２９は、ダイヤル環１９の回転操作に伴なって常に回転する。
【００３６】
そして、上記のように、ダイヤル環１９を所定の一方向に回転させ、一回目のダイヤル合せが終了したら、今度は逆方向にダイヤル環１９を回転させ、窓孔２２に順次表示される符合２３の内、第二回転子２９の解錠ナンバーＢが最初に表示されたときに、その回転操作を停止する。
【００３７】
上記のように、ダイヤル環１９を逆方向に回転させると、第一回転子２８の連係突起３４に当接していたダイヤル環１９の操作突起２６が該連係突起３４から離れ、第一回転子２８を前記解錠位置に残したままで、第二回転子２９だけが逆方向に回転される。そして、第二回転子２９の解錠口３９がその解錠ナンバーＢに対応する位置に設けられていることにより、該解錠ナンバーが窓孔２２に最初に表示された位置で、第二回転子２９の解錠口３９が、図１２ハに示すように、第一回転子２８の解錠口３５及び作動孔１６の解錠溝３６と一致して錠機構３の解錠状態が得られる。尚、上記のようなダイヤル環１９の逆方向の回転操作において、該ダイヤル環１９を一回転以上回転させると、操作突起２６が第一回転子２８の連係突起３４に逆方向から再び当接して第一回転子２８を回転させてしまい、該第一回転子２８の解錠口３５が作動孔１６の解錠溝３６からずれてしまう。このため、二回目のダイヤル合わせはダイヤル環１９の一回転未満で行なう必要がある。
【００３８】
上記のように、作動孔１６の解錠溝３６に対して、第一回転子２８の解錠口３５及び第二回転子２９の解錠口３９を夫々一致させて錠機構３を解錠した状態にあって、ラッチ３０は、図１０に示すように、その上部のレバー部４５を解錠溝３６内に傾倒して下部のフック部４６を後方に回動させ得る状態となる。これにより、筺体５３の開閉蓋５４に取り付けられた錠ケース２の把手１３に指を掛けて手前に引くと、筺体５３の係止縁５８によってフック部４６が後方に押圧されて回動し、開閉蓋５４を開けることができる。この開閉蓋５４の開放操作にあって、把手１３を用いてダイヤル環１９に触れることなく開閉蓋５４を開けることができるため、ダイヤル環１９が回転せず、不要の施錠を防止することができる。
【００３９】
一方、開いた開閉蓋５４を閉めると、フック部４６の後側縁５１が筺体５３の係止縁５８に当接して後方から水平方向に押圧されるため、図１１に示すように、ラッチ３０が上動してフック部４６が係止縁５８を乗り越えた後、ばね５０の付勢によってラッチ３０が再び下動してフック部４６が係止縁５８の後端面に係合される。
【００４０】
回転式ダイヤル錠１を施錠する場合には、上記のように、開閉蓋５４を閉めた状態において、ダイヤル環１９を適当に回転操作して第一回転子２８及び第二回転子２９を回転させ、両回転子２８，２９の解錠口３５，３９を作動孔１６の解錠溝３６に一致しない位置に夫々移動させる。これにより、作動空隙４０内に挿通されたラッチ３０のレバー部４５が解錠溝３６内に傾倒不能となり、下部のフック部４６が後方に回動することができなくなって、錠機構３の施錠状態が得られる。尚、この施錠操作は、開閉蓋５４を開いた状態で行なってもよく、錠機構３が施錠状態となっていても、前記のように、フック部４６の後側縁５１に対する筺体５３の係止縁５８の押圧作用によって、ラッチ３０が上動するため開閉蓋５４を閉めることができる。
【００４１】
尚、本発明にあっては、錠ケース２の収納筒部４を、従来構成の回転式ダイヤル錠（図１４参照）を組込み得るように構成することも可能である。この場合には、前板部６の一側にダイヤル板ａを備えた円柱状の操作ツマミｂが配設され、前板部６の他側に把手部５が配設される。この構成にあっては、操作ツマミｂが前板部６の前面に大きく突出するため、該操作ツマミｂと把手部５とをあまり近接させると、操作ツマミｂが邪魔になって把手１３に指が掛けにくくなるという問題が生じる。このために回転式ダイヤル錠１全体が若干大型化されることとなる。これに対して、上述の実施形態のように、ダイヤル環１９の側周面２１の一部を、錠ケース２の前板部６に形成した窓孔２２から露出させるようにすると、該ダイヤル環１９が把手１３の使用時に邪魔にならないため、回転式ダイヤル錠１全体をコンパクトに成形し得る利点がある。また、ダイヤル環１９の下部に生じる前板部６の空白スペースを、名札や部屋番号等の情報表示部として使用することもできる。
【００４２】
【発明の効果】
本発明は上述のように、ダイヤル環１９の回転操作により施錠及び解錠作動する錠機構３を内蔵し、筺体５３の開閉蓋５４に固定される錠ケース２に、前記開閉蓋５４の前面に臨む把手１３を連成したから、ダイヤル環１９を回転操作して解錠した後、把手１３を用いてダイヤル環１９に触れることなく開閉蓋５４を開けることができるため、従来のようにダイヤル環１９が回転せず、不要の施錠を防止し得る。また、錠ケース２に把手１３を連成することにより、該把手１３が別部品にならず、その取付けを別途に行なう手間も要しない。
【００４３】
また、前記ダイヤル環１９の側周面２１の一部を錠ケース２の前面に形成した窓孔２２から露出させ、錠ケース２の前面に沿った露出環部２１’に対する接線方向の回転操作によってダイヤル環１９を回転させるようにしたから、指一本でダイヤル環１９を回転させることができ、従来のものと比較して回転操作が容易となり、その操作性を向上させ得る等の優れた効果がある。
【図面の簡単な説明】
【図１】本発明にかかる回転式ダイヤル錠の正面図である。
【図２】カバー体７を分離した同上の平面図である。
【図３】把手部５の縦断側面図である。
【図４】錠ケース２の平面図である。
【図５】操作孔１４の板バネ２５の配設状態を示す横断面図である。
【図６】収納筒部４の縦断側面図である。
【図７】ダイヤル環１９の底面図である。
【図８】ダイヤル環１９と第一回転子２８及び第二回転子２９の分解斜視図である。
【図９】錠機構３等の分解断面図である。
【図１０】ラッチ３０の作動状態を示す収納筒部４の縦断側面図である。
【図１１】ラッチ３０の他の作動状態を示す収納筒部４の縦断側面図である。
【図１２】上段ａのイ〜ロは操作孔１４内の各部の状態図、下段ｂのイ〜ロは作動孔１６内の各部の状態図である。
【図１３】把手１３の他の実施態様を示す回転式ダイヤル錠の斜視図である。
【図１４】従来の回転式ダイヤル錠の斜視図である。
【符号の説明】
２  錠ケース
３  錠機構
１３  把手
１９  ダイヤル環
２１  側周面
２１’露出環部
２２  窓孔
５３  筺体
５４  開閉蓋
【図１】
0003833290.tif 000002
【図２】
0003833290.tif 000003
【図３】
0003833290.tif 000004
【図４】
0003833290.tif 000005
【図５】
0003833290.tif 000006
【図６】
0003833290.tif 000007
【図７】
0003833290.tif 000008
【図８】
0003833290.tif 000009
【図９】
0003833290.tif 000010
【図１０】
0003833290.tif 000011
【図１１】
0003833290.tif 000012
【図１２】
0003833290.tif 000013
【図１３】
0003833290.tif 000014
【図１４】
0003833290.tif 000015